(57)【要約】【課題】空間率の大きなＳＬ板等のマットにおいて、その厚さ方向に密度勾配を有するような複合繊維体のマットを容易に製造できる製造装置を提供する。【解決手段】天然繊維原料と化学繊維原料とを混合して供給する供給手段１と、これら原料を細かい繊維に砕いて吹き飛ばすエアー輸送手段２と、これら吹き飛ばされた原料を層状に受けて搬送する搬送手段３と、搬送された層状の繊維原料層５を結合するバインダー手段４ａ、４ｂとからなるものとした。【選択図】        図１
2004353110.tif 000002
【特許請求の範囲】
【請求項１】
天然繊維原料と化学合成繊維原料とを混合して供給する供給手段と、これら原料を細かい繊維に砕いて吹き飛ばすエアー輸送手段と、これら吹き飛ばされた原料を層状に受けて搬送する搬送手段と、搬送された層状の原料を結合するバインダー手段とからなる複合繊維体の製造装置。
【請求項２】
前記エアー輸送手段は、回転するドラムの外周面に多数の針状の突起を有して、該ドラムの回転により前記繊維原料の破砕と吹き飛ばしとを行なうように形成した請求項１に記載の複合繊維体の製造装置。
【請求項３】
前記天然繊維原料と前記化学合成繊維原料とに、両者の比重が異なるものを選出して使用し、前記エアー輸送手段によって吹き飛ばされた原料が、前記搬送手段の上に、上層部の低比重繊維と下層部の高比重繊維の２層構造となって堆積するように形成した請求項１又は請求項２に記載の複合繊維体の製造装置。
【発明の詳細な説明】
【０００１】
【発明の属する技術分野】
本発明は人工浮島植栽床、産卵浮漁礁、屋上緑化マット、寝具マット等に使用される複合繊維体の製造装置に関する。
【０００２】
【従来の技術】
従来合成繊維、特にプラスチック繊維を捲縮してかさ高に配合し、その交点及び周辺を結合剤で強固に固着して空間率の大なる板に形成されているＳＬ板を活性汚泥処理装置に使用している例が知られている（例えば特許文献１参照。）。
【０００３】
ここでＳＬのＳとはＳｙｎｔｈｅｔｉｃ  ｆｉｂｅｒ（合成繊維）、又ＬはＬｏｃｋ（固着）の略称である。
【０００４】
【特許文献１】
特許第２９２６３８０号公報
【０００５】
【発明が解決しようとする課題】
この従来ＳＬ板によれば、その厚さ方向において密度勾配がないので、例えば人工浮島植栽床の浮マットとして湖沼に使用した場合に、種が落下したり又は発芽むらが生じたりする問題点があった。
【０００６】
本発明はこのような問題点を解消し植物や魚の生育に好ましい等の利点を有する複合繊維体の効率の良い製造装置を提供することを目的とする。
【０００７】
【課題を解決するための手段】
この目的を達成すべく本発明は、天然繊維原料と化学合成繊維原料とを混合して供給する供給手段と、これら原料を細かい繊維に砕いて吹き飛ばすエアー輸送手段と、これら吹き飛ばされた原料を層状に受けて搬送する搬送手段と、搬送された層状の原料を結合するバインダー手段とからなる。
【０００８】
【発明の実施の形態】
本発明の１実施の形態を図１に従って説明する。
【０００９】
１は原料の供給手段を示し、該供給手段１は上下方向に延びる供給筒体１ａとその上方部を分岐した第１、第２分岐筒体１ｂ、１ｃと、これら第１、第２分岐筒体１ｂ、１ｃの上端部にそれぞれ延長形成した第１、第２供給ホッパー部１ｄ、１ｅと、前記供給筒体１ａの下端開口の下方に一端部が位置し他方部が側方に位置するように水平方向に延びる供給コンベア１ｆと、該供給コンベア１ｆの該他方部の上方に設けられている押えロール１ｇとからなる。
【００１０】
尚、１ｈは前記供給筒体１ａから落下してくる原料繊維を前記供給コンベア１ｆへ送るためのファンである。
【００１１】
２はエアー輸送手段を示し、該エアー輸送手段２は回転ドラム２ａと該回転ドラム２ａの外周面に均等に多数突設した針状突起２ｂと該外周面及びこれら針状突起２ｂを囲繞するように形成して固定されたカバー２ｃとからなり、前記回転ドラム２ａの所定回転速度の回転に伴って前記供給コンベア１ｆの他方部から供給される混合された原料を前記針状突起２ｂにより打砕かれて細い繊維となって前記カバー２ｃと前記回転ドラム２ａの外周面により形成される流路２ｄ内を該外周面の回転に伴う空気流に同伴して輸送されるようにした。
【００１２】
３は搬送手段を示し、該搬送手段３は水平方向に延びる上中下３段のベルトコンベア３ａ、３ｂ、３ｃからなり、この内の下段ベルトコンベア３ｃは、その一端部を前記エアー輸送手段２のカバーｃ内に突入させて水平に設置されている。
【００１３】
該下段ベルトコンベア３ｃは、前記エアー輸送手段から細かい繊維状となって飛散してくる前記繊維原料を層状に降り積らせて受けると共に、これを矢印Ａの方向に搬送する。
【００１４】
又、前記下段ベルトコンベア３ｃの上方には、バインダー手段４を構成する第１次ノズル４ａがあって、該第１次ノズル４ａが樹脂又はゴム等のエマルジョン状のバインダー液を前記下段ベルトコンベア３ｃの上の繊維原料層の上に噴霧するようになっている。
【００１５】
このようにしてバインダー液を上面に噴霧された前記繊維原料層５は、前記下段ベルトコンベア３ｃの他端部迄運ばれてから上向きに反転して立ち上げられ、前記下段ベルトコンベア３ｃの上方に前記下段ベルトコンベア３ｃと平行に設置された中段ベルトコンベア３ｂの一端部上に送られる。
【００１６】
該中段ベルトコンベア３ｂは、前記下段ベルトコンベア３ｃとは逆向きの矢印Ｂの方向に前記繊維原料層５を搬送する。
【００１７】
又、これら下段ベルトコンベア３ｃと中段ベルトコンベア３ｂとの間には、バインダー手段４を構成する第２次ノズル４ｂがあって、該第２次ノズル４ｂは、樹脂又はゴム等のエマルジョン状のバインダー液を、前記繊維原料層５が上向きに反転している個所の裏面に噴霧するように配置されている。
【００１８】
このようにして裏表両面からバインダー液を噴霧された前記繊維原料層５は、前記中段ベルトコンベア３ｂの他端部迄運ばれてから再び上向きに反転して立ち上げられ、前記中段ベルトコンベア３ｂの上方に前記中段ベルトコンベア３ｂと平行に設置された上段ベルトコンベア３ａの一端部上に送られる。
【００１９】
該上段ベルトコンベア３ａは、前記中段ベルトコンベア３ｂとは逆向きの矢印Ｃの方向に前記繊維原料層５を搬送する。
【００２０】
該上段ベルトコンベア３ａの上方には、前記繊維原料層５を乾燥させたり熱処理成形させたりするための加熱装置（図示せず）が設置されている。
【００２１】
こうして乾燥・熱処理成形された前記繊維原料層５は、該上段ベルトコンベア３ａの他端部迄運ばれ、所定の大きさに裁断され、又はロール状に巻き取られて製品となる。
【００２２】
次に本発明の複合繊維体の製造装置の作動、及びその効果について説明する。
【００２３】
本製造装置は、比重の異なる２種類の繊維原料、即ち天然繊維原料と化学合成繊維原料とを併せて用いる。
【００２４】
前記天然繊維原料には、やし毛、シュロ毛、麻等が用いられ、又、前記化学合成繊維原料には、ＰＰ、ＰＥ、アクリル、塩ビ、ビニリデン、ナイロン等が用いられる。
【００２５】
尚、これらの繊維径は０．１ｍｍ乃至０．２ｍｍ程度である。
【００２６】
これら２種類の繊維原料は、それぞれ第１供給ホッパー部１ｄ、又は第２供給ホッパー部１ｅより装置内へ投入され、両者は混合状態で供給筒体１ａ内を落下して供給コンベア１ｆ上に堆積し、エアー輸送手段２の方へと搬送される。
【００２７】
前記供給コンベア１ｆの末端部の上方には押えロール１ｇがあって、前記供給コンベア１ｆ上に堆積した繊維原料の押圧と送り出しとを行なっている。
【００２８】
前記エアー輸送手段２内へ送り出された前記繊維原料は、一定速度で回転する回転ドラム２ａの外周面に多数突設した針状突起２ｂによって打ち砕かれて細かく浮遊した繊維状となり、前記回転ドラム２ａの回転によって惹起された風圧に乗って、前記エアー輸送手段２の出口側にある下段ベルトコンベア３ｃ上に吹き寄せられて堆積する。
【００２９】
このとき、比重の重い繊維原料（一般に化学合成繊維）の方が下層部に多く堆積し、比重の軽い繊維原料（一般に天然繊維）の方が上層部に多く堆積して、これら２層からなる繊維原料層５ができる。
【００３０】
尚、この時、比重の重い下層部の方ほど、密度の細かい緻密な層となっている。
【００３１】
このように密度の異なった２層状体からなる繊維原料層５は、第１次ノズル４ａ及び第２次ノズル４ｂによって上下からバインダー液を噴霧され、加熱乾燥及び熱処理を行なって、耐水性を有する強固な２層構造となる。
【００３２】
このような２層構造のマットは、その厚さ方向において密度勾配を有するので、例えば人工浮島植栽床の浮マットに使用した場合にも、種子が該マットの目を抜けて落下したりすることがない。
【００３３】
又、この密度勾配は、前記下段ベルトコンベア３ｃのベルト速度の調節により調節することができて便利である。
【００３４】
【発明の効果】
このように本発明によれば、その厚さ方向において密度の異なる複合繊維体のマットを容易に製造することができるので、人工浮島植栽床等に使用した場合に種子の損失が少なく、発芽むらを生じないようになる効果を有する。
【図面の簡単な説明】
【図１】本発明の複合繊維体の製造装置の１実施の形態の側面図である。
【符号の説明】
１          原料の供給手段
２          エアー輸送手段
２ａ        ドラム
２ｂ        針状の突起
３          搬送手段
４ａ、４ｂ  バインダー手段
【図１】
2004353110.tif 000003